(57)【要約】【課題】トランジスタ数を減少させた電流駆動データドライバを提供する。【解決手段】本発明による電流駆動データドライバＩＣは映像データ信号を貯蔵するレジスタ部と前記映像データ信号の電圧レベルを変換するレベルシフタと多数のバイアス電圧を生成するバイアス電圧発生器と前記多数のバイアス電圧のうちの前記レベルシフタの出力信号を選択信号にして一つのバイアス電圧を選択して出力するデコーダと、前記一つのバイアス電圧と前記レベルシフタの出力信号が入力されて多数の階調レベルを表現することができる電流を発生するデジタル−アナログ変換器とを含むことを特徴とする。【選択図】図５
2006215561.tif 000002
【特許請求の範囲】
【請求項１】
多数のバイアス電圧を生成するバイアス電圧発生器と、
映像データ信号に応答して前記多数のバイアス電圧のうちの一つを選択するデコーダと、
前記選択されたバイアス電圧が入力され、前記映像データ信号に応答して出力電流を生成するデジタル−アナログ変換器とを含むことを特徴とする電流駆動データドライバＩＣ。
【請求項２】
前記バイアス電圧発生器は外部から入力される電源電圧が入力されて、多数のバイアス電圧を生成することを特徴とする請求項１に記載の電流駆動データドライバＩＣ。
【請求項３】
前記デジタル−アナログ変換器は、
同一電流が流れる複数のＰＭＯＳトランジスタと、
前記ＰＭＯＳトランジスタのドレインと連結され、前記複数のＰＭＯＳトランジスタをオン、オフして前記複数の電流源として動作するようにする複数のスイッチを含むことを特徴とする請求項１に記載の電流駆動データドライバＩＣ。
【請求項４】
前記ＰＭＯＳトランジスタは前記電源電圧と連結されたソースと前記デコーダによって選択された前記バイアス電圧と連結されたゲートと、前記多数のスイッチのうちのいずれか一つと連結されたドレインで構成されることを特徴とする請求項３に記載の電流駆動データドライバＩＣ。
【請求項５】
前記スイッチは前記映像データ信号に対応するビットによって制御されることを特徴とする請求項３に記載の電流駆動データドライバＩＣ。
【請求項６】
前記映像データ信号を貯蔵するレジスタと、
前記映像データ信号の電圧レベルを変換して、前記変換された映像データ信号を前記デコーダと前記デジタル−アナログ変換器に提供するレベルシフトとをさらに含むことを特徴とする請求項１に記載の電流駆動データドライバＩＣ。
【請求項７】
第１バイアス電圧を発生する第１バイアス電圧発生器と、
前記第１バイアス電圧発生器と連結され、前記第１バイアス電圧を入力として受けて複数の第２バイアス電圧を発生する第２バイアス電圧発生器と、
前記第２バイアス電圧発生器と連結され、前記複数の第２バイアス電圧を入力として受けて第１映像データ信号によって一つの第２バイアス電圧を選択して出力するデコーダと、
第２映像データ信号と前記選択された第２バイアス電圧に応答し、複数の電流源として作用してデータライン駆動信号を出力する複数のデジタル−アナログ変換器とを含むことを特徴とする電流駆動データドライバＩＣ。
【請求項８】
前記第１映像データ信号はｉビットで構成され、前記第２バイアス電圧発生器は互いに異なる２ｉ個のバイアス電圧を発生することを特徴とする請求項７に記載の電流駆動データドライバＩＣ。
【請求項９】
前記第２映像データ信号はｊビットで構成され、前記一つのデジタル−アナログ変換器は互いに異なる２ｊ個の電流源として動作することを特徴とする請求項８に記載の電流駆動データドライバＩＣ。
【請求項１０】
前記デジタル−アナログ変換器は、
同一電流が流れる複数のＰＭＯＳトランジスタと、
前記ＰＭＯＳトランジスタのドレインと連結され、前記複数のＰＭＯＳトランジスタをオン、オフして前記複数の電流源として動作するようにする複数のスイッチとを含むことを特徴とする請求項９に記載の電流駆動データドライバＩＣ。
【請求項１１】
前記ＰＭＯＳトランジスタは電源電圧と連結されたソースと前記第２バイアス電圧と連結されたゲートと、前記スイッチと連結されたドレインで構成されることを特徴とする請求項１０に記載の電流駆動データドライバＩＣ。
【請求項１２】
前記スイッチは前記第２映像データ信号に対応するビットによって制御されることを特徴とする請求項１０に記載の電流駆動データドライバＩＣ。
【請求項１３】
前記スイッチはj個を要して、２j−１個のＰＭＯＳトランジスタが並列で連結されて、前記各スイッチと直列で連結され、前記一つのデジタル−アナログ変換器は合計２j−１個のＰＭＯＳトランジスタを要することを特徴とする請求項１２に記載の電流駆動データドライバＩＣ。
【請求項１４】
前記複数のデジタル−アナログ変換器は同一回路構成を有することを特徴とする請求項１３に記載の電流駆動データドライバＩＣ。
【請求項１５】
複数のスキャンラインと、前記スキャンラインと交差して配列された複数のデータラインと、前記各々のスキャンライン及びデータラインに連結されている複数の画素を含むディスプレーパネルと、
映像信号が入力されて前記ディスプレーパネルを駆動するための映像データ信号を出力するタイミングコントローラと、
前記スキャンラインを順に活性化させるためのスキャンドライバＩＣと、
電流駆動データドライバＩＣと、
前記電流駆動データドライバＩＣと前記スキャンドライバＩＣが動作することができる電源電圧を供給する電圧発生器とを含み、
前記電流駆動データドライバＩＣは、
多数のバイアス電圧を生成するバイアス電圧発生器と、
映像データ信号に応答して前記多数のバイアス電圧のうちの一つを選択するデコーダと、
前記選択されたバイアス電圧が入力されて、前記映像データ信号に応答して多数の階調レベルを表現することができる出力電流を生成するデジタル−アナログ変換器とを含むことを特徴とするディスプレー装置。
【請求項１６】
前記バイアス電圧発生器は外部から電源電圧が入力されて多数のバイアス電圧を生成することを特徴とする請求項１５に記載のディスプレー装置。
【請求項１７】
前記デジタル−アナログ変換器は、
同一電流が流れる複数のＰＭＯＳトランジスタと、
前記ＰＭＯＳトランジスタのドレインと連結され、前記複数のＰＭＯＳトランジスタをオン、オフして前記複数の電流源として動作するようにする複数のスイッチとを含むことを特徴とする請求項１５に記載のディスプレー装置。
【請求項１８】
前記ＰＭＯＳトランジスタは前記電源電圧と連結されたソースと前記デコーダから出力されるバイアス電圧と連結されたゲートと、前記スイッチと連結されたドレインで構成されることを特徴とする請求項１７に記載のディスプレー装置。
【請求項１９】
前記スイッチは前記映像データ信号に対応するビットによって制御されることを特徴とする請求項１７に記載のディスプレー装置。
【請求項２０】
前記映像データ信号を貯蔵するレジスタと、
前記映像データ信号の電圧レベルを変換して、前記変換された映像データ信号を前記デコーダと前記デジタル−アナログ変換器に提供するレベルシフトとを含むことを特徴とする請求項１５に記載のディスプレー装置。
【請求項２１】
複数のスキャンラインと、前記スキャンラインと交差して配列された複数のデータラインと、前記各々のスキャンライン及びデータラインに連結されている画素を含むディスプレーパネルと、
映像信号が入力されて前記ディスプレーパネルを駆動するための第１映像データ信号と第２映像データ信号を出力するタイミングコントローラと、
前記スキャンラインを順に活性化させるためのスキャンドライバＩＣと、
電流駆動データドライバＩＣと、
前記電流駆動データドライバＩＣと前記スキャンドライバＩＣが動作することができる電源電圧を供給する電圧発生器とを含み、
前記電流駆動データドライバＩＣは、
第１バイアス電圧を発生する第１バイアス電圧発生器と、
前記第１バイアス電圧発生器と連結され、前記第１バイアス電圧を入力として受けて複数の第２バイアス電圧を発生する第２バイアス電圧発生器と、
前記第２バイアス電圧発生器と連結され、前記複数の第２バイアス電圧を入力として受けて第１映像データ信号によって一つの第２バイアス電圧を選択して出力するデコーダと、
第２映像データ信号と前記選択された第２バイアス電圧に応答し、複数の電流源として作用してデータライン駆動信号を出力する複数のデジタル−アナログ変換器とを含むことを特徴とするディスプレー装置。
【請求項２２】
前記第１映像データ信号はｉビットで構成され、前記第２バイアス電圧発生器は互いに異なる２ｉ個のバイアス電圧を発生することを特徴とする請求項２１に記載のディスプレー装置。
【請求項２３】
前記第２映像データ信号はｊビットで構成され、前記一つのデジタル−アナログ変換器は互いに異なる２ｊ個の電流源として動作することを特徴とする請求項２２に記載のディスプレー装置。
【請求項２４】
前記デジタル−アナログ変換器は、
同一電流が流れる複数のＰＭＯＳトランジスタと、
前記ＰＭＯＳトランジスタのドレインと連結され、前記複数のＰＭＯＳトランジスタをオン、オフして前記複数の電流源として動作するようにする複数のスイッチとを含むことを特徴とする請求項２３に記載のディスプレー装置。
【請求項２５】
前記ＰＭＯＳトランジスタは前記電圧発生器から発生された電源電圧と連結されたソースと前記第２バイアス電圧と連結されたゲートと、前記スイッチと連結されたドレインで構成されることを特徴とする請求項２４に記載のディスプレー装置。
【請求項２６】
前記スイッチは前記第２映像データ信号に対応するビットによって制御されることを特徴とする請求項２４に記載のディスプレー装置。
【請求項２７】
前記スイッチはｊ個を要して、２j−１個のＰＭＯＳトランジスタが並列で連結されて、前記各スイッチと直列で連結され、前記一つのデジタル−アナログ変換器は合計２j−１個のＰＭＯＳトランジスタを要することを特徴とする請求項２４に記載のディスプレー装置。
【請求項２８】
前記複数のデジタル−アナログ変換器は同一回路構成を有することを特徴とする請求項２７に記載のディスプレー装置。
【発明の詳細な説明】
【技術分野】
【０００１】
本発明はディスプレー装置に係り、さらに具体的には電流によって駆動されるトランジスタ数を減少させた電流駆動データドライバＩＣに関する。
【背景技術】
【０００２】
最近、ＣＲＴ（Ｃａｔｈｏｄｅ  Ｒａｙ  Ｔｕｂｅ）の重さと嵩が大きく、駆動電圧が高い短所を解決しようと、軽量化、低消費電力化などの優れた特性を有する平板ディスプレー装置（ＦＰＤ:Ｆｌａｔ  Ｐａｎｅｌ  Ｄｉｓｐｌａｙ）が開発されている。平板ディスプレー装置は、大きく受光型ディスプレー（Ｎｏｎ−ｅｍｉｓｓｉｖｅ  Ｄｉｓｐｌａｙ）装置と発光型ディスプレー（Ｅｍｉｓｓｉｖｅ  Ｄｉｓｐｌａｙ）装置に区別される。受光型ディスプレー装置にはＬＣＤ（Ｌｉｑｕｉｄ  Ｃｒｙｓｔａｌ  Ｄｉｓｐｌａｙ）があり、発光型ディスプレー装置にはＰＤＰ（Ｐｌａｓｍａ  Ｄｉｓｐｌａｙ  Ｐａｎｅｌ）、ＥＬＤ（ＥＬｅｃｔｒｏ  Ｌｕｍｉｎｅｓｃｅｎｃｅ  Ｄｉｓｐｌａｙ）、ＬＥＤ（Ｌｉｇｈｔ  Ｅｍｉｔｔｉｎｇ  Ｄｉｏｄｅ）ディスプレー、ＶＦＤ（Ｖａｃｕｕｍ  Ｆｌｕｏｒｅｓｃｅｎｔ  Ｄｉｓｐｌａｙ）などがある。平板ディスプレー装置の他の区別方法によれば、平板の駆動方式によってＰＤＰやＬＣＤに適用される電圧駆動ディスプレー装置とＥＬＤやＬＥＤに適用される電流駆動ディスプレー装置に区別されることができる。
【０００３】
代表的な電流駆動ディスプレー装置であるＥＬＤは電子と正孔の再結合によって蛍光物質を発光させる自発光素子によって、材料及び構造に応じて無機ＥＬ（Ｉｎｏｒｇａｎｉｃ  ＥＬ）と有機ＥＬ（Ｏｒｇａｎｉｃ  ＥＬ）に区別される。
【０００４】
電界発光（ＥＬ:ＥＬｅｃｔｒｏ  Ｌｕｍｉｎｅｓｃｅｎｃｅ）現象は１９３０年代に発見された無機蛍光体粉末を利用した発光現象を意味する。このような無機素材を利用した電界発光はディスプレー素子としては大きく発展されずに、バックライト（Ｂａｃｋ  Ｌｉｇｈｔ）としての可能性にとどまった。無機ＥＬがディスプレー装置として脚光を浴びることができない理由は効率的な青色発光材料の不在によるフルカラー（Ｆｕｌｌ  Ｃｏｌｏｒ）化が遅れたからである。とろこで、１９９０年代に有機薄膜に電流を流して発光を得る有機ＥＬの研究が急進展されることによって、無機ＥＬが次世代ディスプレー装置として脚光を浴びている。
【０００５】
有機化合物による発光現象は１９６０年代にアントラセンによって発見された。その後、１９８７年Ｅａｓｔｍａｎ  Ｋｏｄａｋ社のＴａｎｇとＶａｎ  Ｓｌｙｋｅが発光効率と安全性を向上させることができる超薄膜２層積層型有機ＥＬ（Ｏｒｇａｎｉｃ  Ｅｌｅｃｔｒｏｌｕｍｉｎｅｓｃｅｎｃｅ）素子を発表し、１９９７年の末にＰｉｏｎｅｅｒで単色有機ＥＬディスプレーを商品化した。そして２０００年ＳＩＤでＳａｎｙｏ−Ｋｏｄａｋによって５.５インチトゥルーカラー有機ＥＬディスプレーを実演した。
【０００６】
有機ＥＬはＴＦＴ−ＬＣＤ、ＰＤＰ、ＦＥＤなど他のディスプレーより低い駆動電圧で駆動することができ、自体発光するので、認識性がすぐれており、ＴＦＴ−ＬＣＤとは違い、バックライトが要しなくて、ディスプレーの厚さをＴＦＴ−ＬＣＤより薄くできる。現在ＬＣＤと比べて応答速度が速く、視野角が広くて高画質の動画を表現することができる次世代平板ディスプレー技術のうちの一つとして製品化のための技術開発が活発に進行されている。有機ＥＬ素子は最近速い速度で発展しており、ＩＭＴ２０００、ＰＤＡなどの小型情報器機用ディスプレーに徐徐に使われており、今後ノートブックコンピュータ、平面ＴＶなどの市場でＴＦＴ−ＬＣＤなどと競争する段階への発展が予測されている。
【０００７】
図１はＥＬディスプレー装置の発光原理を説明するための一般的な有機ＥＬ構造を示す断面図である。有機ＥＬはカソード１とアノード７との間に積層された電子注入層２、電子輸送層３、発光層４、正孔輸送層５、正孔注入層６で構成される。透明電極であるアノード７と金属電極であるカソード１との間に電圧を印加すれば、カソード１から発生された電子は電子注入層２及び電子輸送層３を通じて発光層４の方へ移動する。また、アノード７から発生された正孔は正孔注入層６及び正孔輸送層５を通じて発光層４の方へ移動する。これによって、発光層４は電子輸送層３と正孔輸送層５から供給された電子と正孔が衝突して再結合することによって光が発生するようになる。この光は透明電極であるアノード７を通じて外部に放出されて画像が表示される。このような有機ＥＬ素子の発光輝度は素子の両端にかかる電圧に比例するのではなく、供給電流に比例するので、アノード７は通常定電流源に接続される。
【０００８】
有機ＥＬディスプレー装置に具備されるデータドライバＩＣは電流駆動方式によって有機ＥＬパネルの各画素を駆動する。従来のデータドライバＩＣ２００の詳細な回路図が図２に示している。図２を参照すると、データドライバＩＣ２００は基準電流発生器２１０とデジタル−アナログ変換器２２０、２３０とを含む。
【０００９】
基準電流発生器２１０は電圧ＶＨと連結されたソース、ドレイン及びゲートが連結されたＰＭＯＳトランジスタ２１１と電流ソース２１２を含む。デジタル−アナログ変換器２２０、２３０はＰＭＯＳトランジスタ２１１のゲート及びドレインに直列で連結される。基準電流発生器２１０から発生された電流は電流ミラー（Ｃｕｒｒｅｎｔ  Ｍｉｒｒｏｒ）方式でデジタル−アナログ変換器２２０、２３０に提供される。
【００１０】
デジタル−アナログ変換器２２０、２３０はデータラインＤ１〜Ｄｎに各々連結される。デジタル−アナログ変換器２２０、２３０は全部同一回路構成を有するので、以下ではデジタル−アナログ変換器２２０の詳細な回路構成だけが説明される。
【００１１】
デジタル−アナログ変換器２２０は電流源である多数のＰＭＯＳトランジスタとスイッチＢ０〜Ｂｋ−１とを含む。ＰＭＯＳトランジスタのソースは電圧発生器３００から発生した電圧ＶＨと連結され、ドレインは対応するスイッチＢ０〜Ｂｋ−１に各々連結され、ゲートは基準電流発生器２１０で生成されたバイアス電圧ＶＢと連結される。スイッチＢ０〜Ｂｋ−１はタイミングコントローラ１００から提供される映像データ信号ＤＡＴＡ１〜ＤＡＴＡｎの対応するビットによって各々制御される。例えば、映像データ信号ＤＡＴＡ１[０:２ｋ−１]は一番目のデータラインＤ１を駆動するための信号として、２ｋ個の個別的な映像データ信号ＤＡＴＡ１[０]〜ＤＡＴＡ１[２ｋ−１]で各スイッチの動作を制御する。映像データ信号ＤＡＴＡｎ[０:２ｋ−１]はｎ番目のデータラインＤｎを駆動するための信号として、２ｋ個の個別的な映像データ信号ＤＡＴＡｎ[０]〜ＤＡＴＡｎ[２ｋ−１]で各スイッチの動作を制御する。
【００１２】
例えば階調数が３ビットであるデジタル−アナログ変換器２２０の詳細な回路図が図３に示している。階調数は色の濃度を示したものであり、ディスプレー装置１０の解像度と関連ある。１番目のスイッチＢ０と連結されたＰＭＯＳトランジスタは一つであり、２番目のスイッチＢ１と連結されたＰＭＯＳトランジスタは二つであり、３番目のスイッチＢ２と連結されたＰＭＯＳトランジスタは４つになる。したがって、３ビットデジタル−アナログ変換器２２０を実現するためには合計７（=１＋２＋４）個のＰＭＯＳトランジスタが必要になる。各スイッチＢ０〜Ｂ２はタイミングコントローラ１００から提供される２３個の映像データ信号ＤＡＴＡ１[０:２３−１]の対応するビットによって各々制御される。例えば、映像データ信号ＤＡＴＡ１[０]は３つのスイッチを全部オフ（Ｏｆｆ）して１番目のデータラインＤ１に流れる電流が０Ｉになるようにして、映像データ信号ＤＡＴＡ１[７]は３つのスイッチを全部オン（Ｏｎ）させて１番目のデータラインＤ１に流れる電流が７Ｉになるようにする。したがって、映像データ信号ＤＡＴＡ１[０:２３−１]に応じて各々のスイッチ動作を制御して、１番目のデータラインＤ１は０Ｉから７Ｉまでの電流が流れることができるようになる。
【００１３】
ディスプレー装置１０を通じてより高い解像度を実現するためには階調数を示すビット数が増加するようになる。階調数が６ビットであるデジタル−アナログ変換器２２０を実現するためには６個のスイッチが必要である。各々のスイッチは１、２、４、８、１６、３２個のＰＭＯＳトランジスタと連結される。したがって６ビットデジタル−アナログ変換器２２０を実現するためには合計６３（＝１＋２＋４＋８＋１６＋３２）個のＰＭＯＳトランジスタが必要になる。
【００１４】
最近ではパネルがますます大型化して、ディスプレー装置１０のより高い解像度が要求されている。したがって、上述の方式で階調数を増加させるようになれば、必要なＰＭＯＳトランジスタは幾何級数的に増える。これによって、データドライバＩＣ２００の回路構成が複雑になり、チップサイズが増加する問題が発生する。
【発明の開示】
【発明が解決しようとする課題】
【００１５】
本発明の課題は、上述の問題点を解決するために提案されたものであり、電流源ＰＭＯＳトランジスタの個数を減少させたデータドライバＩＣを提供することにある。
【課題を解決するための手段】
【００１６】
本発明による電流駆動データドライバＩＣは多数のバイアス電圧を生成するバイアス電圧発生器と、映像データ信号に応答して前記多数のバイアス電圧のうちの一つを選択するデコーダと、前記選択されたバイアス電圧が入力されて、前記映像データ信号に応答して出力電流を生成するデジタル−アナログ変換器とを含む。
【００１７】
本発明による電流駆動データドライバＩＣは第１バイアス電圧を発生する第１バイアス電圧発生器と、前記第１バイアス電圧発生器と連結され、前記第１バイアス電圧を入力として受けて複数の第２バイアス電圧を発生する第２バイアス電圧発生器と、前記第２バイアス電圧発生器と連結され、前記複数の第２バイアス電圧を入力として受けて第１映像データ信号によって一つの第２バイアス電圧を選択して出力するデコーダと、第２映像データ信号と前記選択された第２バイアス電圧に応答し、複数の電流源として作用してデータライン駆動信号を出力する複数のデジタル−アナログ変換器とを含む。
【００１８】
本発明によるディスプレー装置は複数のスキャンラインと、前記スキャンラインと交差して配列された複数のデータラインと、前記各々のスキャンライン及びデータラインに連結されている複数の画素を含むディスプレーパネルと、映像信号が入力されて前記ディスプレーパネルを駆動するための映像データ信号を出力するタイミングコントローラと、前記スキャンラインを順に活性化させるためのスキャンドライバＩＣと、電流駆動データドライバＩＣと、前記電流駆動データドライバＩＣと前記スキャンドライバＩＣが動作することができる電源電圧を供給する電圧発生器とを含む。前記電流駆動データドライバＩＣは、多数のバイアス電圧を生成するバイアス電圧発生器と、映像データ信号に応答して前記多数のバイアス電圧のうちの一つを選択するデコーダと、前記選択されたバイアス電圧が入力されて、前記映像データ信号に応答して多数の階調レベルを表現することができる出力電流を生成するデジタル−アナログ変換器とを含む。
【００１９】
本発明によるディスプレー装置は複数のスキャンラインと、前記スキャンラインと交差して配列された複数のデータラインと、前記各々のスキャンライン及びデータラインに連結されている画素を含むディスプレーパネルと、映像信号が入力されて前記ディスプレーパネルを駆動するための第１映像データ信号と第２映像データ信号を出力するタイミングコントローラと、前記スキャンラインを順に活性化させるためのスキャンドライバＩＣと、電流駆動データドライバＩＣと、前記電流駆動データドライバＩＣと前記スキャンドライバＩＣが動作することができる電源電圧を供給する電圧発生器とを含む。前記電流駆動データドライバＩＣは、第１バイアス電圧を発生する第１バイアス電圧発生器と、前記第１バイアス電圧発生器と連結され、前記第１バイアス電圧を入力として受けて複数の第２バイアス電圧を発生する第２バイアス電圧発生器と、前記第２バイアス電圧発生器と連結され、前記複数の第２バイアス電圧を入力として受けて第１映像データ信号によって一つの第２バイアス電圧を選択して出力するデコーダと、第２映像データ信号と前記選択された第２バイアス電圧に応答し、複数の電流源として作用してデータライン駆動信号を出力する複数のデジタル−アナログ変換器とを含む。
【発明の効果】
【００２０】
本発明によると、電流源ＰＭＯＳトランジスタの個数が減少して、データドライバＩＣの回路図の複雑性を減らし、かつチップサイズ縮小効果も得ることができる。
【発明を実施するための最良の形態】
【００２１】
以下では、本発明による実施形態を添付の図４及び図５を参照して詳細に説明する。
【００２２】
図４は一般的な有機ＥＬディスプレー装置の構成を示す。図４を参照すると、ディスプレー装置１０はホスト（図示しない）から提供される映像データ信号、同期信号、及びクロック信号を受け入れて有機ＥＬパネル５００にカラー映像を表示する。
【００２３】
ディスプレー装置１０はタイミングコントローラ１００、データドライバＩＣ（Ｉｎｔｅｇｒａｔｅｄ  Ｃｉｒｃｕｉｔ）２００、電圧発生器３００、スキャンドライバＩＣ４００、及び有機ＥＬパネル５００を含む。
【００２４】
タイミングコントローラ１００はホストから提供された映像データ信号をデータドライバＩＣ２００及びスキャンドライバＩＣ４００で要求されるタイミングに合わせるように調節して出力する。また、タイミングコントローラ１００はデータドライバＩＣ２００及びスキャンドライバＩＣ４００を制御するための制御信号を出力する。
【００２５】
電圧発生器３００はディスプレー装置１０に必要な電圧を提供する。例えば、電圧発生器３００は３．３Ｖの電源電圧とデータドライバＩＣ２００の駆動に必要な１８Ｖの高電圧を発生する。
【００２６】
有機ＥＬパネル５００は複数のスキャンラインとスキャンラインに交差して配列されたデータラインとを含み、各々のスキャンライン及びデータラインと連結されている画素（Ｐｉｘｅｌ）で構成される。各画素は有機ＥＬ素子を含む。
【００２７】
スキャンドライバＩＣ４００はタイミングコントローラ１００から提供される制御信号に応答してスキャンラインを順に一つずつ活性化させるためのスキャン信号Ｓ１〜Ｓｎを出力する。このような方法で有機ＥＬパネル５００のすべてのスキャンラインは順に一つずつ活性化される。
【００２８】
データドライバＩＣ２００はタイミングコントローラ１００から映像データ信号ＤＡＴＡ１〜ＤＡＴＡｎが入力され、ここに対応するデータライン駆動信号Ｄ１〜Ｄｎを発生してデータラインを通じて各画素に伝達する。
【００２９】
図５は階調数がkビットである職流駆動データドライバＩＣの構成を示す回路図であり、データドライバＩＣ１０００は第１バイアス電圧発生器１０５０、第２バイアス電圧発生器１０１０、デコーダ１０２０、及びｎ個のデジタル−アナログ変換器１０３０、１０４０で構成される。
【００３０】
バイアス電圧発生器１０５０は電圧発生器３００から発生される電源電圧が入力されて第２バイアス電圧発生器１０１０が動作することができる基準電圧源になるバイアス電圧ＶＢを発生する。
【００３１】
ディスプレー装置１０が表現しようとする階調数がｋビットである時、このうちの一部であるｉビットに該当する既存デジタル−アナログ変換器の役割を第２バイアス電圧発生器１０１０で実現する。第２バイアス電圧発生器１０１０は第１バイアス電圧発生器１０５０から発生したバイアス電圧ＶＢが入力されて、２ｉ個の互いに異なるレベルのバイアス電圧ＶＢ０〜ＶＢ２ｉ−１を発生する。例えば、３ビット第２バイアス電圧発生器１０１０は２３＝８個の互いに異なるレベルのバイアス電圧ＶＢ０〜ＶＢ７を発生する。
【００３２】
デコーダ１０２０は第２バイアス電圧発生器１０１０から出力された互いに異なるレベルのバイアス電圧ＶＢ０〜ＶＢ２ｉ−１が入力されて、タイミングコントローラ１００から発生される選択信号ＳＥＬ１〜ＳＥＬ２ｉによって制御され、そのうちの一つのバイアス電圧のみを選択して出力する。選択信号ＳＥＬ１〜ＳＥＬ２ｉはタイミングコントローラ１００から発生される映像データ信号のうちの一部の値として、入力される映像データの情報に応じて多数のバイアス電圧のうちの一つのバイアス電圧を選択することができるようにする。
【００３３】
デジタル−アナログ変換器１０３０、１０４０は従来技術によるデジタル−アナログ変換器２２０、２３０の動作特性と同一である。デジタル−アナログ変換器１０３０、１０４０はデータラインＤ０〜Ｄｎに各々連結される。デジタル−アナログ変換器１０３０、１０４０は全部同一回路構成を有する。
【００３４】
ディスプレー装置１０が表現しようとする階調数がｋビットである時、第２バイアス電圧発生器１０１０で実現したｉビットを除いた残りのjビット（ｊ＝ｋ−ｉ）のみをデジタル−アナログ変換器１０３０、１０４０で実現する。jビットデジタル−アナログ変換器１０３０は電流源である多数のＰＭＯＳトランジスタとスイッチＢ０〜Ｂｊ−１を含む。ＰＭＯＳトランジスタのソースは電圧発生器３００から発生される電圧ＶＨと連結され、ドレインは対応するスイッチＢ０〜Ｂｊ−１に各々連結され、ゲートはデコーダ１０２０から出力されたバイアス電圧ＶＢ０〜ＶＢ２ｉ−１と連結される。スイッチＢ０〜Ｂｊ−１はタイミングコントローラ１００から提供される映像データ信号ＤＡＴＡ１〜ＤＡＴＡｎの対応するビットによって各々制御される。例えば、映像データ信号ＤＡＴＡ１[０:２ｋ−１]は１番目のデータラインＤ０を駆動するための信号であり、映像データ信号ＤＡＴＡｎ[０:２ｋ−１]はｎ番目のデータラインＤｎを駆動するための信号である。
【００３５】
デジタル−アナログ変換器１０３０、１０４０のスイッチ動作を制御する映像データ信号ＤＡＴＡ１〜ＤＡＴＡｎとデコーダ１０２０の動作を制御する変換された映像データ信号ＤＡＴＡ１〜ＤＡＴＡ２ｉはタイミングコントローラ１００から発生する信号である。
【００３６】
jビットデジタル−アナログ変換器１０３０で１番目のスイッチＢ０と連結されたＰＭＯＳトランジスタは一つであり、２番目のスイッチＢ１と連結されたＰＭＯＳトランジスタは二つであり、j番目のスイッチＢｊ−１と連結されたＰＭＯＳトランジスタは２j−１個になる。例えば、３ビットデジタル−アナログ変換器１０３０で各々のスイッチは１、２、４個のＰＭＯＳトランジスタと連結される。したがって、３ビットデジタル−アナログ変換器１０３０を実現するためには合計７（＝１＋２＋４）個のＰＭＯＳトランジスタが必要になる。
【００３７】
したがって、ディスプレー装置１０が表現しようとする階調数がｋビットである時、第２バイアス電圧発生器１０１０でｉビットを実現して、残りのｊビット（ｊ＝ｋ−ｉ）をデジタル−アナログ変換器１０３０、１０４０で分散して実現する。これによって、第２バイアス電圧発生器１０１０を使用しない従来技術に比べてＰＭＯＳトランジスタの使用量を減らしてデータドライバＩＣ１０００の回路複雑性を低下させ、かつチップサイズも減らすことができるようになる。
【００３８】
上述のデータドライバＩＣ１０００は図６のように示すこともできる。
【００３９】
データドライバＩＣ１０００はレジスタ部２０１０とレベルシフタ２０２０、バイアス電圧発生器２０３０、デコーダ２０４０、及びデジタル−アナログ変換器２０５０で構成される。
【００４０】
レジスタ部２０１０はタイミングコントローラ１００から提供される映像データ信号が入力されて貯蔵する場所である。レベルシフタ２０２０は低電圧で駆動するレジスタ部２０１０のデジタルデータ信号を高電圧で駆動するデコーダ２０４０とデジタル−アナログ変換器２０５０に出力する前に信号の電圧レベルを変換させる。バイアス電圧発生器２０３０は電圧発生器３００から電源電圧が入力されて多数のバイアス電圧を生成する役割を果たす。デコーダ２０４０はレベルシフタ２０２０の出力信号を選択信号にしてバイアス電圧発生器２０３０から入力される多数のバイアス電圧のうちの一つを選択してデジタル−アナログ変換器２０５０に出力する。デジタル−アナログ変換器２０５０は多数のトランジスタとスイッチで構成され、レベルシフタ２０２０の出力信号がスイッチの動作を制御して多数の階調レベルを表現することができる電流を発生する。
【００４１】
以上のように、図面と明細書で最適の実施形態が開示された。ここで特定の用語が使用されたが、これはただ本発明を説明するための目的として使用されたものであり、意味限定や特許請求の範囲に記載した本発明の範囲を制限するために使用されたものではない。したがって、本技術分野の通常の知識を持った者であれば、今後多様な変形及び均等な他の実施形態が可能であることを理解するであろう。したがって、本発明の技術的保護範囲は特許請求の範囲の技術的思想によって決められてはならない。
【図面の簡単な説明】
【００４２】
【図１】ＥＬディスプレー装置の発光原理を説明するための一般的な有機ＥＬ構造を示す断面図である。
【図２】従来技術による電流駆動データドライバＩＣの構成を示す回路図である。
【図３】従来技術による階調数が３ビットであるデジタル−アナログ変換器の構成を示す回路図である。
【図４】一般的な有機ＥＬディスプレー装置の構成を示すブロック図である。
【図５】本発明の望ましい実施形態による電流駆動データドライバＩＣの構成を示す回路図である。
【図６】本発明が適用された電流駆動データドライバＩＣの構成を示すブロック図である。
【符号の説明】
【００４３】
１  カソード
２  電子注入層
３  電子輸送層
４  発光層
５  正孔輸送層
６  正孔注入層
７  アノード
１０  ディスプレー装置
１００  タイミングコントローラ
２００、１０００  データドライバＩＣ
３００  電圧発生器
４００  スキャンドライバＩＣ
５００  有機ＥＬパネル
２１０  基準電流発生器
２２０、２３０、１０３０、１０４０、２０５０  デジタル−アナログ変換器
１０１０  第２バイアス電圧発生器
１０２０、２０４０  デコーダ
１０５０  第１バイアス電圧発生器
２０１０  レジスタ部
２０２０  レベルシフタ
２０３０  バイアス電圧発生器
【図１】
2006215561.tif 000003
【図２】
2006215561.tif 000004
【図３】
2006215561.tif 000005
【図４】
2006215561.tif 000006
【図５】
2006215561.tif 000007
【図６】
2006215561.tif 000008